(57)【要約】通信装置、例えば無線通信機器における方法であって、該通信装置は、データを入力するアプリケーションフォームのあるアプリケーションプログラムを有する。ある実施形態では、専用メッセージ入力キーを押下することに応答して、アプリケーションプログラムにあるアプリケーションフォーム、例えばメッセージアプリケーションフォーム、が表示される（２３０）。他の実施形態では、表示された情報（２１０）は、アプリケーションフォームのデータフィールドに入力される。例えば、アドレスは表示されたメッセージフォームのアドレスフィールドに入力される。
2005524918.tif 000002
【特許請求の範囲】
【請求項１】
データを入力するアプリケーションフォームを伴うアプリケーションプログラムを有する無線通信機器における方法であって、
フォーム専用プロンプトキーを押下することと、
前記フォーム専用プロンプトキーを押下することに応答して、アプリケーションプログラムのアプリケーションフォームを表示することとを備える方法。
【請求項２】
請求項１記載の方法において、画像情報を表示し、フォーム専用プロンプトキーを押下することによって、表示されたアプリケーションフォームにあるデータフィールドに、表示された画像情報を入力する方法。
【請求項３】
請求項２記載の方法において、前記フォーム専用プロンプトキーを押下する前に、表示された画像情報からコンテキストデータを選択し、前記フォーム専用プロンプトキーを押下することに応答して、アプリケーションフォームのデータフィールドに選択した前記コンテキストデータを入力する方法。
【請求項４】
請求項２記載の方法において、アプリケーションフォームはメッセージアプリケーションのメッセージフォームであり、前記フォーム専用プロンプトキーを押下することによって前記メッセージアプリケーションを開き、前記フォーム専用プロンプトキーを押下することでデータフィールドに入力された画像情報を備えたメッセージフォームを表示する方法。
【請求項５】
請求項２記載の方法において、前記フォーム専用プロンプトキーを押下した後、かつデータフィールドに画像情報を入力する前に、アプリケーションフォームにある前記データフィールドを選択するように指示する方法。
【請求項６】
請求項２記載の方法において、前記フォーム専用プロンプトキーを押下した後に表示された画像情報からデータを選択するように指示することと、アプリケーションフォームのデータフィールドに選択したデータを入力する方法。
【請求項７】
請求項２記載の方法において、
アプリケーションフォームはメッセージフォームであって、フォーム専用プロンプトキーを押下した後、メッセージフォームにあるデータフィールドを選択するように指示し、
前記メッセージフォームの選択したデータフィールドに画像情報を入力する方法。
【請求項８】
請求項２記載の方法において、
前記フォーム専用プロンプトキーを押下する前に、前記表示された画像情報のコンテキスト情報を選択し、
前記フォーム専用プロンプトキーを押下することに応答して、メッセージフォームにあるデータフィールドに選択したコンテキスト情報を入力する方法。
【請求項９】
データを入力するアプリケーションフォームの表示が可能な通信装置における方法であって、
通信装置に表示された情報を選択することと、
フォーム専用プロンプトハード入力キーを押下することと、
前記フォーム専用プロンプトハード入力キーを押下することに応答して、アプリケーションフォームにあるデータフィールドに前記選択した情報を入力することとを備える方法。
【請求項１０】
請求項９記載の方法において、前記表示された情報はアドレスであり、前記アプリケーションフォームはメッセージフォームであり、アドレスを選択し、前記フォーム専用プロンプトハード入力キーを押下することによってメッセージフォームのアドレスフィールドに前記選択した情報を入力する方法。
【請求項１１】
請求項９記載の方法において、前記表示された情報の少なくともコンテキスト部分を選択することによって、前記表示された情報を選択する方法。
【請求項１２】
請求項９記載の方法において、前記フォーム専用プロンプトハード入力キーを押下することによって、データフィールドに前記選択された情報が入力されたアプリケーションフォームを表示する方法。
【請求項１３】
請求項９記載の方法において、前記表示された情報はアドレスであり、前記アプリケーションフォームはアドレスフォームであり、アドレスを選択し、前記フォーム専用プロンプトハード入力キーを押下することによってアドレスフォームのアドレスフィールドに前記選択した情報を入力する方法。
【請求項１４】
請求項９記載の方法において、前記表示された情報はウェブページであり、前記フォーム専用プロンプトハード入力キーを押下することによってアプリケーションフォームのデータフィールドにウェブページのＵＲＬを入力する方法。
【請求項１５】
請求項９記載の方法において、
前記選択された情報がアドレスである場合には、前記フォーム専用プロンプトハード入力キーを押下することによって、アプリケーションフォームのアドレスフィールドに前記選択された情報を入力する方法。
【請求項１６】
請求項１５記載の方法において、前記選択された情報がアドレスでない場合には、アプリケーションの宛先データフィールドを識別するように指示する方法。
【請求項１７】
請求項１５記載の方法において、前記選択された情報がアドレスでない場合には、前記フォーム専用プロンプトハード入力キーを押下することによって、アプリケーションフォームにあるアドレスフィールド以外のフィールドに前記選択された情報を入力する方法。
【請求項１８】
通信装置であって、
メモリに接続したプロセッサと、
前記プロセッサに接続した表示部と、
前記プロセッサに接続したアプリケーションフォーム呼び出し専用ハード入力キーと、
メモリに保存されたアプリケーションプログラムであって、アプリケーションフォームセグメントを呼び出す、アプリケーションフォーム呼び出し専用ハード入力キーを有するアプリケーションプログラムとを備え、
アプリケーションフォーム呼び出し専用ハード入力キーを押下することによって、アプリケーションフォームが表示される通信装置。
【請求項１９】
請求項１８記載の通信装置において、
データフィールドの入力セグメントを呼び出す前記アプリケーションフォーム呼び出し専用ハード入力キーを有する前記アプリケーションプログラムであって、
前記アプリケーションフォーム呼び出し専用ハード入力キーを押下することによって、表示されたデータがアプリケーションフォームのデータフィールドに入力される通信装置。
【請求項２０】
移動無線通信装置であって、
メモリに接続したプログラム可能なプロセッサと、
メモリに保存されたアプリケーションプログラムであって、アプリケーションプログラムセグメントを有するアプリケーションプログラムと、
前記プログラム可能なプロセッサに接続した無線送受信機と、
前記プログラム可能なプロセッサに接続した表示部と、
前記プログラム可能なプロセッサに接続したアプリケーションフォーム呼び出し専用ハード入力キーと、
メモリに保存されたアプリケーションプログラムであって、アプリケーションフォーム呼び出し専用ハード入力キーによって呼び出されるアプリケーションフォームセグメントを有するアプリケーションプログラムとを備え、
アプリケーションフォーム呼び出し専用ハード入力キーを押下することによって、表示データ上にアプリケーションフォームが表示される移動無線通信装置。
【請求項２１】
請求項２０記載の移動無線通信装置において、
データフィールドの入力セグメントを呼び出す前記アプリケーションフォーム呼び出し専用ハード入力キーを有する前記アプリケーションプログラムであって、
前記アプリケーションフォーム呼び出し専用ハード入力キーを押下することによって、表示されたデータがアプリケーションフォームのデータフィールドに入力される移動無線通信装置。
【発明の詳細な説明】
【技術分野】
【０００１】
本発明は、概してデータを入力するアプリケーションフォームを伴うアプリケーションプログラム、例えばメッセージアプリケーション、を有する通信装置に関連する。更に特定すれば、アプリケーションフォームを実行するショートカットキーを有する通信装置に関連する。
【背景技術】
【０００２】
アプリケーションプログラムには、ユーザによる入力、または完了を要求するデータフィールドを伴うアプリケーションフォームを有するものがあり、これらのプログラムは例えばメッセージアプリケーションのように、周知の技術である。しかしながら、現在においてユーザがメッセージを作成し、送信する、そのやりとりの基本的構成は、概して煩わしく、冗長的であると考えられており、例えば、携帯電話機、双方向小型無線呼出機、無線通信対応の個人向け携帯情報端末のような、特に入力、および表示機能を限定する通信プラットフォームにおいてはなおさらである。これらのプログラムを操作するためにエンドユーザに課される要求を減らすことは、これらのアプリケーションやその他アプリケーション、および通信装置にとって有用であると考えられる。
【０００３】
本発明における様々な様相、形状、および利点は、以下に説明する添付の図面と共に発明の詳細な説明を十分に考慮することで、当業者にとって完全に明らかなものとなるであろう。
【発明を実施するための最良の形態】
【０００４】
図１において、移動無線通信装置１００は通常、プログラム可能なプロセッサ１１０を備え、該プロセッサは例えば、ＲＡＭ１１２、およびＲＯＭ１１４のような、メモリに接続している。該装置には、プロセッサに接続しているユーザ入力１２０を含み、その例として、キーパッド、ポインタ、音声入力、または他の入力装置がある。また、プロセッサに接続する出力１３０もあり、その例として、音声ポートがある。実施形態の中には、入力と出力とが共通のポートを構成するものもあり、例として、データポートがある。同様に、表示部１４０もプロセッサに接続しており、その例として液晶表示装置（ＬＣＤ）がある。
【０００５】
典型的な装置１００としては、移動無線通信装置があり、例えば、ＣＤＭＡ、またはＧＳＭ移動通信送受信機、またはＩＥＥＥ８０２．１１ｂプロトコルに準拠した装置等の無線送受信機１５０を含む。他の実施形態では装置１００は、例えば、パーソナルコンピュータ、またはインターネット閲覧装置のような、有線接続によりネットワークに接続したその他のコンピュータ装置であってもよい。
【０００６】
通信装置は、メモリに保存されたアプリケーションプログラムを含む。アプリケーションプログラムは通常、ユーザが入力するデータフィールドを有する、ユーザ入力フォームを生成するアプリケーションフォームプログラムセグメントを備えるタイプのプログラムである。。前記データフィールドは前記フォームが表示された際に、ユーザが入力することも可能である。アプリケーションは通常、これらの基準を満たし、数あるアプリケーションの例として、メッセージアプリケーション、ブラウザアプリケーション、アドレスアプリケーション、カレンダアプリケーション、マルチメディアアプリケーション等がある。
【０００７】
図１において、装置は専用ハード入力キーも含み、実施形態の中には専用メッセージキーとして表されている。前記ハード入力キーは、一つ以上のアプリケーションと連携してユーザの負荷を軽減するために、例えば以下において詳細に説明するようなショートカットキー等として使用される。
【０００８】
実施形態のいくつかにおいては、例えばユーザは好みの設定情報を入力することによって、関連または使用する専用ハード入力キーに伴う一つ以上のアプリケーションを選択することもできる。専用ハード入力キーの機能はまた、ユーザによって特定することもできる。例えばユーザはキー１２２の機能を特定のアプリケーションフォーム、例えばメッセージフォーム、を開くこと、かつ／または選択した電子メール情報をメッセージアプリケーションフォームのアドレスフィールドに入力することに限定することができる。
【０００９】
図２のプロセス流れ図２００では、ブロック２１０において通信装置の表示部に画像情報が表示される。画像情報は、テキスト情報、または画像情報の場合もあり、例えば、ＵＲＬ、またはその他のリンク、ファイル、およびファイルアイコン、画像イメージ、音声ファイル、画像ファイル、映像ファイル、動画ファイル等がある。
【００１０】
図３の典型的な実施形態では、ブロック３１０において表示された画像情報は、例えば氏名およびアドレスアプリケーションを操作することによって取得された氏名および電話番号情報３２０である。或いは、この情報はその他の情報源による場合もあり、例えば、別のアプリケーション、または装置に表示されたウェブサイトによるものであってもよい。
【００１１】
図２のブロック２１０では、例えば、表示された情報をブロックしたり、または強調したりすることによって、前記表示された情報の中からコンテキスト情報が選択される。特定の画像情報を選択する方法は、特に重要ではない。図４の典型的な実施形態では、ブロック４１０において、ファイル項目リストをスクロールすることによって、一つのファイル項目４２０が選択される。通常はアプリケーションや専用ハード入力キーに与えられた機能によるが、一つ以上のファイルが選択される。
【００１２】
図２のブロック２２０において、アプリケーションフォーム専用プロンプト入力キー、例えば、典型的な専用メッセージキー１２２、が押下される。一実施形態では、ブロック２３０においてアプリケーションフォームは、フォームプロンプト入力キーを押下することで、または押下することに応答して、表示される。対応するアプリケーションプログラムは、例えば、専用ハード入力キーによって呼び出されるアプリケーションフォームセグメントを備え、それによってアプリケーションフォームは、アプリケーションフォーム専用プロンプト入力キーを押下することで装置の表示部に表示される。
【００１３】
典型的なアプリケーションでは、専用ハードメッセージキーを押下するとメッセージフォームが表示され、その結果、ユーザがメッセージアプリケーションを開いたり、新たなメッセージオプションを選択してメッセージフォームを表示したりする煩わしいステップを軽減することになる。メッセージキーは、或いは上記で説明した例のように、他のアプリケーションを表示するためのショートカットキーとしても使用可能である。
【００１４】
別の実施形態ではブロック２４０において、表示／選択された画像情報は、フォームプロンプト入力キーを押下することによって、またはキーを押下することに応答して、表示されたアプリケーションフォームにあるデータフィールドに入力される。対応するアプリケーションプログラムは、例えば、専用ハード入力キーによって呼び出されるデータフィールド入力セグメントを備え、その専用ハード入力キーを押下することによって表示／選択されたデータはアプリケーションフォームのデータフィールドに入力される。他の実施
形態では、専用ハード入力キーは単にアプリケーションフォームを呼び出すのみで、フォームへの入力はユーザ自身で行わなけれならない。
【００１５】
表示された情報は全ての実施形態において、必ずしもアプリケーションフォームに入力される前に選択される必要はない。移動通信機器の表示部によくある例だが、表示された情報が大して多くない実施形態においては、全ての表示された情報がアプリケーションフォームのデータフィールドに入力される。表示された情報、または選択された情報を取り込むことができない場合には、ユーザに他の操作を行うように指示が出される。
【００１６】
実施形態の中には、例えばメッセージアプリケーションのようなアプリケーションプログラムは、表示／選択されたアドレス情報、例えば電子メールアドレス、を認識し、専用メッセージキー１２２を押下することでアドレスフィールドに入力するプログラムもある。表示／選択された情報がアドレスフィールドでない場合には、その他のフィールドに自動的に入力されるか、或いはユーザにその表示／選択された情報をどのフィールドに入力すべきか、識別するように指示を出す。
【００１７】
図３に示す典型的なメッセージアプリケーションのブロック３３０において、ブロック３１０で選択された名前情報３２０は、専用メッセージキー３６０を押下することによって自動的にメッセージアプリケーションフォーム３５０のアドレスフィールド３４０に入力される。その後、ユーザは必要に応じてメッセージを送信する前に他のメッセージデータフィールドを完了することができる。
【００１８】
図２のブロック２５０において、ある実施形態では宛先データフィールドに限られたデータ量、または特定のデータタイプしか格納できない場合、ユーザは表示されたデータの内、あるデータを選択するように指示される。実施形態の中には、ブロック２４８において、一項目以上の画像情報が表示された場合、ユーザは表示されたデータの一部分を選択するように指示される場合もある。
【００１９】
他の実施形態では、ユーザはアプリケーションフォーム、またはアプリケーションフォームのフィールドを選択するように指示され、表示／選択されたデータは、専用ハード入力キーを選択することで、アプリケーションフォーム、またはアプリケーションフォーム内のフィールドに入力される。
【００２０】
図４のブロック４３０において、ある実施形態では図２のブロック２６０に示したように、専用ハードメッセージキー４６０を押下すると選択されたデータ項目４２０は、自動的に宛先アプリケーションフォームのデータフィールドに入力され、送信される。他の実施形態では送信する前に追加情報が必要な場合、ユーザはそのデータに対する指示を受け、その後メッセージが送信される。
【００２１】
図５のフレーム５０２において、表示されたコンテキスト情報５１０は、フレーム５０４における専用ハードメッセージキー５２０を押下することによって、メッセージアプリケーションフォームの入力に使用される。フレーム５０６において、ユーザはメッセージキー５２０を押下したときに表示、または選択された複数のデータファイル５１２、または５１４の内の一つを選択するように指示される。フレーム５０８では、選択されたデータファイル、例えば着信音ファイル、はメッセージフォームのデータ添付フィールドに配置され、必要に応じて受信者を入力して転送される。
【００２２】
本発明および本発明の現時点において考えられる最良の形態を、発明者による本発明の所有権を確立し、当業者による本発明の製造、および実施が可能な形で説明してきた。しかしながら、一方では、本願において開示した典型的な実施形態に類するものは多く、本
発明の範囲と精神を逸脱することなく、種々の修正および変更が可能であるが、本発明は典型的な実施形態により限定されるものではなく、添付の特許請求の範囲により限定されることを認識、および理解されたい。
【図面の簡単な説明】
【００２３】
【図１】典型的な通信装置の説明図。
【図２】本発明における様々な機構を表す、典型的なプロセス流れ図。
【図３】通信装置上のメッセージアプリケーションを使用するための典型的なプロセスの説明図。
【図４】通信装置上のアプリケーションを使用するための別の典型的なプロセスの説明図。
【図５】通信装置上のメッセージアプリケーションを使用するための典型的なプロセスの説明図。
【図１】
2005524918.tif 000003
【図２】
2005524918.tif 000004
【図３】
2005524918.tif 000005
【図４】
2005524918.tif 000006
【図５】
2005524918.tif 000007
【国際調査報告】
2005524918.tif 000008